(57)【要約】  緩衝装置は、圧力管の内部に配置されているピストンを備えている。バルブアセンブリは、上記ピストンに接続されている。上記バルブアセンブリは、常に開いている流路を通る第１の流量；上記ピストンアセンブリのバルブディスクの弾性変形による第２の流量；および上記ピストンからの離れる上記バルブディスク全体の移動による第３の流量を規定している。一実施形態において、上記バルブアセンブリは、非直結配置および／または離れた配置において予め組み立てられるように、設計されている。
2015527550.tif 000002
【特許請求の範囲】
【請求項１】
流体チャンバを規定している圧力管；上記流体チャンバの内部に配置されているピストンアセンブリ；当該ピストンアセンブリに接続されている第１のバルブアセンブリを備えており、
上記ピストンアセンブリは、上部作動チャンバおよび下部作動チャンバに、上記流体チャンバを分けており、上記ピストンアセンブリは、バルブ本体を規定しており、当該バルブ本体は、当該バルブ本体を通って伸びている第１の複数の流路を有しており、
上記第１のバルブアセンブリは、
上記第１の複数の流路のうちの１番目の流路を閉じるために、上記ピストンアセンブリの上記バルブ本体と直接に係合している第１のバルブディスク；
当該第１のバルブディスクを上記バルブ本体に向かわせる第１のバイアス部材を備えており、
上記バルブディスクは、（１）上記第１の複数の流路のうちの１番目の流路を閉じる第１の位置、（２）上記第１のバルブディスクが、弾性的にしなって、上記第１の複数の流路のうちの１番目の流路を開く第２の位置、および（３）上記第１のバルブディスク全体が、上記バルブ本体から離れて、上記第１の複数の流路のうちの１番目の流路を完全に開く第３の位置の間を移動可能である、緩衝装置。
【請求項２】
上記第１のバイアス部材は、弾性的に歪んで、上記第１のバルブディスク全体が上記バルブ本体から離れることを可能にする、請求項１に記載の緩衝装置。
【請求項３】
上記第１のバイアス部材は、上記第１のバイアス部材の外部についての上記第１のバイアス部材の内部の動きによって、弾性的に歪む、請求項２に記載の緩衝装置。
【請求項４】
上記第１のバルブアセンブリは、上記第１のバルブディスクおよび上記第１のバイアス部材の間に、第１のシムディスクをさらに備えている、請求項１に記載の緩衝装置。
【請求項５】
上記第１のバイアス部材は円盤バネである、請求項１に記載の緩衝装置。
【請求項６】
上記第１のバルブディスクは、上記上部作動チャンバおよび上記下部作動チャンバの間における常に開いている流路を生成する孔を規定している、請求項１に記載の緩衝装置。
【請求項７】
上記第１のバルブアセンブリは、上記第１のバイアス部材と直接に係合している第１のバルブ接合部をさらに備えている、請求項１に記載の緩衝装置。
【請求項８】
上記第１のバイアス部材は第１の円盤バネであり、上記第１のバルブ接合部は、上記第１の円盤バネの外部と直接に係合して、上記第１のバルブディスクの移動の間における上記ピストンについての上記第１の円盤バネの上記外部の位置を維持する、請求項７に記載の緩衝装置。
【請求項９】
第２のバルブアセンブリをさらに備えており、
上記第２のバルブアセンブリは、上記第１の複数の流路のうちの２番目の流路を閉じるために、上記ピストンアセンブリの上記バルブ本体と直接に係合している第２のバルブディスク；当該第２のバルブディスクを上記バルブ本体に向かわせる第２のバイアス部材を備えており、
上記第２のバルブディスクは、（１）上記第１の複数の流路の２番目を閉じる第１の位置、（２）上記第２のバルブディスクが、弾性的にしなって、上記第１の複数の流路の２番目を開く第２の位置、および（３）上記第２のバルブディスク全体が、上記バルブ本体から離れて、上記第１の複数の流路の２番目を完全に開く第３の位置の間を移動可能である、請求項１に記載の緩衝装置。
【請求項１０】
上記第１のバイアス部材は、弾性的に歪んで、上記第１のバルブディスク全体が上記バルブ本体から離れることを可能にし；
上記第２のバイアス部材は、弾性的に歪んで、上記第２のバルブディスク全体が上記バルブ本体から離れることを可能にする、請求項９に記載の緩衝装置。
【請求項１１】
上記第１のバイアス部材は、上記第１のバイアス部材の外部についての上記第１のバイアス部材の内部の動きによって、弾性的に歪み；
上記第２のバイアス部材は、上記第２のバイアス部材の外部についての上記第２のバイアス部材の内部の動きによって、弾性的に歪む、請求項１０に記載の緩衝装置。
【請求項１２】
上記第１のバルブアセンブリは、上記第１のバルブディスクおよび上記第１のバイアス部材の間に、第１のシムディスクをさらに備えており；
上記第２のバルブアセンブリは、上記第２のバルブディスクおよび上記第２のバイアス部材の間に、第２のシムディスクをさらに備えている、請求項９に記載の緩衝装置。
【請求項１３】
上記第１のバルブアセンブリは、上記第１のバイアス部材と直接に係合している第１のバルブ接合部をさらに備えており；
上記第２のバルブアセンブリは、上記第２のバイアス部材と直接に係合している第２のバルブ接合部をさらに備えている、請求項９に記載の緩衝装置。
【請求項１４】
上記第１のバイアス部材は第１の円盤バネであり、上記第１のバルブ接合部は、上記第１の円盤バネの外部と直接に係合して、上記第１のバルブディスクの移動の間における上記ピストンについての上記第１の円盤バネの上記外部の位置を維持し；
上記第２のバイアス部材は第１の円盤バネであり、上記第２のバルブ接合部は、上記第２の円盤バネの外部と直接に係合して、上記第２のバルブディスクの移動の間における上記ピストンについての上記第２の円盤バネの上記外部の位置を維持する、請求項１３に記載の緩衝装置。
【請求項１５】
上記第１のバルブアセンブリは、ガイドスリーブをさらに備えており、上記第１のバルブディスクおよび上記第１のバイアス部材は、上記ガイドスリーブと滑動式に係合している、請求項１に記載の緩衝装置。
【請求項１６】
上記第１のバルブアセンブリは、上記第１のバルブディスクおよび上記第１のバイアス部材の間に配置されているシムディスクをさらに備えており、当該シムディスクは上記ガイドスリーブと滑動式に係合している、請求項１５に記載の緩衝装置。
【請求項１７】
貯留管および基部バルブアセンブリをさらに備えており、
上記貯留管は、上記圧力管および当該貯留管の間に貯留チャンバを規定するために上記圧力管の周囲に配置されており、
上記基部バルブアセンブリは、上記貯留チャンバおよび上記流体チャンバの間に配置されており、当該基部バルブアセンブリは、第２の複数の流路を規定するバルブ本体を含んでおり、
上記基部バルブアセンブリは、
上記第２の複数の流路の２番目を閉じるために、上記基部バルブアセンブリの上記バルブ本体と直接に係合している第２のバルブディスク；
上記バルブ本体に向かわせる第２のバイアス部材を備えており、
上記第２のバルブディスクは、（１）上記第２の複数の流路の２番目を閉じる第１の位置、（２）上記第２のバルブディスクが、弾性的にしなって、上記第２の複数の流路の２番目を開く第２の位置、および（３）上記第２のバルブディスク全体が、上記バルブ本体から離れて、上記第２の複数の流路の２番目を完全に開く第３の位置の間を移動可能である、請求項１に記載の緩衝装置。
【請求項１８】
上記第１のバイアス部材は、弾性的に歪んで、上記第１のバルブディスク全体が上記バルブ本体から離れることを可能にし；
上記第２のバイアス部材は、弾性的に歪んで、上記第２のバルブディスク全体が上記バルブ本体から離れることを可能にする、請求項１７に記載の緩衝装置。
【請求項１９】
上記第１のバイアス部材は、上記第１のバイアス部材の外部についての上記第１のバイアス部材の内部の動きによって、弾性的に歪み；
上記第２のバイアス部材は、上記第２のバイアス部材の外部についての上記第２のバイアス部材の内部の動きによって、弾性的に歪む、請求項１８に記載の緩衝装置。
【請求項２０】
上記第１のバルブアセンブリは、上記第１のバルブディスクおよび上記第１のバイアス部材の間に、第１のシムディスクをさらに備えており；
上記第２のバルブアセンブリは、上記第２のバルブディスクおよび上記第２のバイアス部材の間に、第２のシムディスクをさらに備えている、請求項１７に記載の緩衝装置。
【請求項２１】
上記第１のバルブアセンブリは、上記第１のバイアス部材と直接に係合している第１のバルブ接合部をさらに備えており；
上記第２のバルブアセンブリは、上記第２のバイアス部材と直接に係合している第２のバルブ接合部をさらに備えている、請求項１７に記載の緩衝装置。
【請求項２２】
上記第１のバイアス部材は第１の円盤バネであり、上記第１のバルブ接合部は、上記第１の円盤バネの外部と直接に係合して、上記第１のバルブディスクの移動の間における上記ピストンについての上記第１の円盤バネの上記外部の位置を維持し；
上記第２のバイアス部材は第１の円盤バネであり、上記第２のバルブ接合部は、上記第２の円盤バネの外部と直接に係合して、上記第２のバルブディスクの移動の間における上記ピストンについての上記第２の円盤バネの上記外部の位置を維持する、請求項２１に記載の緩衝装置。
【発明の詳細な説明】
【技術分野】
【０００１】
本開示は、サスペンションシステム（例えば、自動車に使用されるサスペンションシステム）における用途のためのハイドロリックダンパーまたは緩衝装置に一般的に関する。より詳細には、本開示は、上記緩衝装置の反跳動作および／または圧縮動作において制動力を生じ得る多段階調節可能な減衰バルブに関する。
【背景技術】
【０００２】
この項目は、必ずしも従来技術ではない、本開示に関連する背景の情報を与えている。
【０００３】
緩衝装置は、運転中に生じる不要な振動を吸収するために、自動車のサスペンションシステムに関連して使用されている。不要な振動を吸収するために、緩衝装置は、一般的に、自動車のバネが付されている部分（車体）およびバネが付されていない部分（サスペンション）の間に接続されている。ピストンは、緩衝装置の圧力管の内部に配置されており、圧力管は、車両のバネが付されている部分およびバネが付されていない部分の一方に接続されている。ピストンは、圧力管を通って伸びているピストンロッドを介して、自動車のバネが付されている部分およびバネが付されていない部分の他方に接続されている。ピストンは、作動油を用いて満たされている上部作動チャンバおよび下部作動チャンバに、圧力管を分けている。ピストンが、緩衝装置が圧縮されるか、または伸ばされるときの上部作動チャンバおよび下部作動チャンバの間における作動油の流れを、バルブを介して制限可能であるので、緩衝装置は、車両のバネが付されていない部分からバネが付されている部分にそうでなければ伝えられる振動を相殺する、制動力を生させ得る。二重管式の緩衝装置において、流体貯留部または貯留チャンバは、圧力管および貯留管の間に規定されている。自動車のバネが付されていない部分からバネが付されている部分にそうでなければ伝えらえれる振動を相殺する制動力を生じさせるために、基部バルブは、下部作動チャンバおよびおよび貯留チャンバの間に配置されている。
【０００４】
上述の通り、二重管式の緩衝装置にとって、ピストンによるバルブを用いた調節は、緩衝装置が制動負荷を生じさせるために伸ばされるときの、上部作動チャンバおよび下部作動チャンバの間における制動流体の流れを制限する。基部バルブによる調節は、緩衝装置が制動負荷を生じさせるために圧縮されるときの、下部作動チャンバおよび貯留チャンバの間における制動流体の流れを制限する。単管式の緩衝装置にとって、ピストンによるバルブを用いた調節は、緩衝装置が圧縮されるか、または伸ばされるときの上部作動チャンバおよび下部作動チャンバの間における制動流体の流れを制限する。運転中に、サスペンションシステムは、上下（jounce）（圧縮）および反跳（伸長）において動作する。上下運動の間に、緩衝装置は、圧縮され、二重管式の緩衝装置における基部バルブまたは単管式の緩衝装置におけるピストンバルブを通して制動流体を移動させる。基部バルブまたはピストンに配置されている制動バルブは、制動流体の流れ、およびしたがって生成される制動力を制御する。反跳運動の間に、緩衝装置は、伸長され、二重管式の緩衝装置および単管式の緩衝装置の両方におけるピストンを通して制動流体を移動させる。ピストンに配置されている制動バルブは、制動流体の流れ、およびしたがって生成される制動力を制御する。
【０００５】
二重管式の緩衝装置において、ピストンおよび基部バルブは、複数の圧縮通路および複数の伸長通路を標準的に備えている。二重管式の緩衝装置における上下運動の間に、制動バルブまたは基部バルブは、基部バルブにおける圧縮通路を開いて、流体の流れを制御し、制動負荷を生成する。ピストンにある逆止めバルブは、ピストンにおける圧縮通路を開いて、上部作動チャンバにおける制動流体を元に戻すが、この逆止めバルブは、制動負荷に寄与しても、しなくてもよい。圧縮運動の間に、ピストンバルブにある制動バルブはピストンの伸長通路を閉じ、基部バルブにある逆止めバルブは基部バルブの伸長通路を閉じる。二重管式の緩衝装置における反跳運動の間に、ピストンにある制動バルブは、ピストンにおける伸長を開いて、流体の流れを制御し、制動負荷を生成する。基部バルブにある逆止めバルブは、基部バルブにおける伸長通路を開いて、下部作動チャンバにおける制動流体を元に戻すが、この逆止めバルブは、制動負荷に寄与しても、しなくてもよい。
【０００６】
単管式の緩衝装置において、ピストンは、複数の圧縮通路および複数の伸長通路を標準的に備えている。また、緩衝装置は、当該技術においてよく知られている通り、流体のロッド体積の流れを補う手段を含んでいる。単管式の緩衝装置における上下運動の間に、ピストンにある圧縮制動バルブは、ピストンにおける圧縮通路を開いて、流体の流れを制御し、制動負荷を生成する。上下運動の間に、ピストンにある伸長制動バルブは、伸長通路を閉じる。単管式の緩衝装置における反跳運動の間に、ピストンにある伸長制動バルブは、ピストンにおける伸長通路を開いて、流体の流れを制御し、制動負荷を生成する。反跳運動の間に、ピストンにある圧縮制動バルブは、ピストンの圧縮通路を閉じる。
【発明の概要】
【０００７】
この項は、本開示の一般的な概要をもたらしており、その全範囲またはその特徴のすべての包括的な開示ではない。
【０００８】
本開示は、多段階調節可能な減衰バルブアセンブリを備えているハイドロリックダンパーまたは緩衝装置に関する。当該多段階調節可能な減衰バルブアセンブリは、低速制動を調節するための開口ディスクを含んでいる屈曲ディスクの集合体を備えており、上記開口ディスクにおける開口が制動の第１段階を規定することによって、低速流量における力曲線の峻度を制御可能である。屈曲ディスクの集合体は、１つ以上の円盤バネによってバルブ本体の表面に対して予め負荷を加えられている。屈曲ディスクの集合体全体は、軸方向に対してか、または制動の第３段階を規定するバルブ本体の表面に対してほとんど直交して動作する。本開示の多段階調節可能な減衰バルブアセンブリは、（１）単管式の緩衝装置におけるピストンアセンブリのバルブ本体の両側、または（２）二重管式の緩衝装置アセンブリにとっての、ピストンアセンブリのバルブ本体および基部バルブアセンブリのバルブ本体の両方に、使用され得る。本開示の多段階調節可能な減衰バルブアセンブリは、非直結配置および／または離れた配置において予め組み立てられるように、設計されている。
【０００９】
適用範囲のさらなる分野は、本明細書に与えられている記載から明らかになる。この概要における記載および特定の例は、例証のみを目的としており、本開示の範囲を限定することを目的としていない。
【００１０】
本明細書において説明されている図面は、選択された実施形態の例示を目的としており、考えらえるすべての実施ではなく、本開示の範囲を限定することを目的としていない。
【図面の簡単な説明】
【００１１】
【図１】本開示に係るバルブ設計を組み込んでいる緩衝装置を有している自動車の説明図である。
【図２】本開示に係るバルブ設計を組み込んでいる、図１に基づく二重管式の緩衝装置の部分的な断面における側面図である。
【図３】図２に示されている緩衝装置に基づくピストンアセンブリの、部分的な断面における拡大側面図である。
【図４】図２に示されている緩衝装置に基づく基部バルブアセンブリの、部分的な断面における拡大側面図である。
【図５】本開示に係るバルブ設計を組み込んでいる単管式のピストンアセンブリの、部分的な断面における側面図である。
【図６】図５に示されているピストンアセンブリの、部分的な断面における拡大側面図である。
【図７】高速制限ディスクを備えているバルブ本体の平面図である。
【図８】本開示の他の実施形態に係る高速制限ディスクを備えているバルブ本体の平面図である。
【図９】本開示の他の実施形態に係る高速制限ディスクを備えているバルブ本体の平面図である。
【図１０】バルブ本体の密閉ランド部の形状を例示するピストン本体の平面図である。
【図１１Ａ】本開示の他の実施形態に係るピストンアセンブリの、部分的な断面における側面図である。
【図１１Ｂ】図１１Ａに示されている円１１Ｂの拡大図である。
【図１２】本開示の他の実施形態に係るピストンアセンブリの、部分的な断面における側面図である。
【図１３】本開示の他の実施形態に係るピストンアセンブリの、部分的な断面における側面図である。
【発明を実施するための形態】
【００１２】
以下の記載は、単に、実質的に例証であり、本開示、用途または使用を制限することを目的としていない。本発明に係るピストンアセンブリを組み込んでいる複数の緩衝装置を有しているサスペンションシステムを組み込んでいる、参照番号１０によって全体的に示されている車両が、図１に示されている。車両１０は、リアサスペンション１２、フロントサスペンション１４および車体１６を備えている。リアサスペンション１２は、一対の後輪１８を動作可能に補助するために適合されている横方向に伸びているリア車軸アセンブリ（図示されず）を備えている。リア車軸は、一対の緩衝装置２０および一対のバネ２２によってボディ１６に取り付けられている。同様にフロントサスペンション１４は、一対の前輪２４を動作可能に補助するために横方向に伸びているフロント車軸アセンブリ（図示されず）を有している。フロント車軸アセンブリは、一対の緩衝装置２６および一対のバネ２８によって車体１６に取り付けられている。緩衝装置２０および２６は、車両１０のバネが付されている部分（すなわち車体１６）に対する、バネが付されていない部分（すなわちフロントサスペンション１４およびリアサスペンション１２）の相対的な動きを緩衝する役割を果たしている。車両１０は、フロント車軸アセンブリおよびリア車軸アクセルアセンブリを有している乗用自動車として示されているが、緩衝装置２０および２６は、他の種類の車両とともにか、または他の種類の用途において（非独立性のフロントサスペンションおよび／または非独立性のリアサスペンション、独立性のフロントサスペンションおよび／または独立性のリアサスペンション、または当技術において知られている他のサスペンションシステムを組み込んでいる車両が挙げられるが、これらに限定されない）使用され得る。さらに、本明細書に使用されるときの「緩衝装置」という用語は、ダンパーを一般的に指すと意図されており、そのため当該技術において知られているマクファーソンストラットおよび他のダンパー設計を包含している。
【００１３】
ここで、図２を参照すると、緩衝装置２０がより詳細に示されている。図２は緩衝装置２０のみを説明しているが、緩衝装置２６が、緩衝装置２０について以下に述べられているバルブ設計を含んでいることは、理解されるべきである。緩衝装置２６は、車両１０のバネが付されている集合体およびバネが付されていない集合体に接続されるために適合されている点のみにおいて緩衝装置２０と異なる。緩衝装置２０は、圧力管３０、ピストンアセンブリ３２、ピストンロッド３４、貯留管３６および基部バルブアセンブリ３８を備えている。
【００１４】
圧力管３０は、流体チャンバ４２を規定している。ピストンアセンブリ３２は、滑動可能に圧力管３０内に配置されており、流体チャンバ４２を、上部作動チャンバ４４および下部作動チャンバ４６に分けている。シール４８は、下部作動チャンバ４６から上部作動チャンバ４４に対する過度の摩擦力を生じない圧力管３０に対するピストンアセンブリ３２の滑り運動、および下部作動チャンバ４６から上部作動チャンバ４４を密閉することを可能にするために、ピストンアセンブリ３２および圧力管３０の間に配置されている。ピストンロッド３４は、ピストンアセンブリ３２に取り付けられており、上部作動チャンバ４４、および圧力管３０の上端を塞いでいる上端キャップ５０を通って伸びている。シールシステムは、上端キャップ５０、貯留管３６、圧力管３０およびピストンロッド３４の間の接合部を密閉している。ピストンアセンブリ３２と反対側のピストンロッド３４の先端は、車両１０のバネが付されていない集合体およびバネが付されている集合体のうち１つに固定されるために適合されている。ピストンアセンブリ３２内のバルブによる調節は、圧力管３０内におけるピストンアセンブリ３２の移動の間における、上部作動チャンバ４４および下部作動チャンバ４６の間の流体の移動を制御する。ピストンロッド３４は、上部作動チャンバ４４のみを通って伸びており、かつ下部作動チャンバ４６を通って伸びていないため、圧力管３０に対するピストンアセンブリ３２の移動は、上部作動チャンバ４４に移された流体の量および下部作動チャンバ４６に移された流体の量に差異を生じさせる。移された流体の量における差異は、「ロッド体積」として知られており、それは基部バルブアセンブリ３８を通って流れる。貯留管３６は、貯留室５２を規定するために圧力管３０を囲んでいる。先端キャップ５４は貯留管３６の端を密閉している。先端キャップ５４は、車両１０の他のバネが付されている集合体およびバネが付されていない集合体に固定されるために適合されている。基部バルブアセンブリ３８は、下部作動チャンバ４６および貯留室５２の間の流体の流れを制御する。
【００１５】
ここで、図３を参照すると、ピストンアセンブリ３２は、バルブ本体６０、圧縮バルブアセンブリ６２および反跳バルブアセンブリ６４を備えている。圧縮バルブアセンブリ６２は、ピストンロッド３４にある肩部６６に取り付けられている。バルブ本体６０は圧縮バルブアセンブリ６２に取り付けられており、反跳バルブアセンブリ６４はバルブ本体６０に取り付けられている。留めねじ６８は、これらの部品をピストンロッド３４に固定している。
【００１６】
バルブ本体６０は、複数の圧縮通路７０および複数の反跳通路７２を規定している。シール４８は、ピストンアセンブリ３２の滑り運動を可能にするために複数の環状の溝とかみ合う、複数のリブを備えている。
【００１７】
圧縮バルブアセンブリ６２は、保持器７８、バルブディスク８０およびバネ８２を備えている。保持器７８は、一方の端において肩部６６と接触しており、他方の端においてバルブ本体６０接触している。バルブディスク８０は、バルブ本体６０と接触しており、反跳通路７２を開きつつ圧縮通路７０を閉じる。バネ８２は、バルブ本体６０に向かわせるバイアスバルブディスク８０に加えるために、保持器７８およびバルブディスク８０の間に配置されている。１回の圧縮動作の間に、下部作動チャンバ４６内の流体は、加圧され、流体圧力をバルブディスク８０に対して作用させる。バルブディスク８０に対する流体圧力がバネ８２のバイアス負荷を超えると、バルブディスク８０は、バルブ本体６０から離れて圧縮通路７０を開き、下部作動チャンバ４６から上部作動チャンバ４４への流体の流れを可能にする。典型的に、バネ８２は、バルブディスク８０に小さな負荷のみを及ぼし、圧縮バルブアセンブリ６２は、チャンバ４６および４４の間における逆止めバルブとして機能する。１回の圧縮動作の間における緩衝装置２０についての制御特性は、下部作動チャンバ４６から貯留室５２への「ロッド体積」の概念による流量をもたらす基部バルブアセンブリ３８によって典型的に制御されているが、圧縮バルブアセンブリ６２はまた、緩衝装置２０についての制御特性に寄与し得る。１回の反跳動作の間に、圧縮通路７０はバルブディスク８０によって閉じられている。
【００１８】
反跳バルブアセンブリ６４は、ガイドスリーブ８４、バルブ接合部８６、複数の円盤バネ８８、複数のシムディスク９０、および複数の屈曲ディスク（バイアス部材）９２を備えている。ガイドスリーブ８４は、ピストンロッド３４に滑動式またはねじ式に受けられており、バルブ本体６０および留めねじ６８の間に配置されている。バルブ接合部８６、複数の円盤バネ８８、複数のシムディスク９０および複数の屈曲ディスク９２はすべて、ガイドスリーブ８４の外径に滑動式に受けられている。バルブ接合部８６は留めねじ６８と直接に係合しており、複数の円盤バネ８８はバルブ接合部８６と直接に係合しており、複数のシムディスク９０は複数の円盤バネ８８と直接に係合しており、複数の屈曲ディスク９２は複数のシムディスク９０およびバルブ本体６０と直接に係合している。バルブ接合部８６は、図６においてガイドスリーブ８４と一体に図示かれているが、図３と同様にガイドスリーブ８４に滑動式に受けられ、ガイドスリーブ８４と分けられ得る。分かれている部品は、ガイドスリーブ８４に沿って軸方向にバルブ接合部８６を移動させることによって、複数の円盤バネ８８の予圧を調節することが可能である。複数の円盤バネ８８の適切な予圧がいったん達成されると、当該技術においてよく知られているように、バルブ接合部８６は、ガイドスリーブ８４に対して、シム固定され（shimmed）得るか、圧着され得るか、支柱固定され（staked）得るか、溶接され得るか、または別の方法によって取り付けられ得る。他の選択肢は、ガイドスリーブ８４にバルブ接合部８６を圧入させることである。
【００１９】
バルブ接合部８６は、複数の円盤バネ８８、複数のシムディスク９０、および複数の屈曲ディスク９２に支持をもたらしている。複数の円盤バネ８８は、屈曲するか、またはたわんで、バルブ本体６０に向かわせるバイアスを複数の屈曲ディスク９２に加える特定の負荷を与える。複数のシムディスク９０は、複数の屈曲ディスク９２の屈曲する程度を調節するか、または決定するために設けられており、したがって、複数のシムディスク９０は、バルブ本体６０に向かわせるバイアスを複数の屈曲ディスク９２に加える特定の負荷の程度を調節するか、または決定する。
【００２０】
複数の屈曲ディスク９２は、バルブ本体６０と直接的に接続している開口ディスク９４、１つ以上の調整ディスク９６および支点ディスク９８を備えている。複数の屈曲ディスク９２に流体圧力が加えられると、流体の第１の流れまたは初期の流れは、開口ディスク９４またはバルブ本体６０によって規定される任意の孔１００を通って流れる。流体の第１のまたは初期の流動は、低速制動を調節するために使用されており、ピストンアセンブリ３２の低速における力−速度曲線の峻度を制御し得る。１つ以上の調整ディスク９６の数、直径および厚さは、ピストンアセンブリ３２の低速および中速の間の変化を制御する。開口ディスク９４および１つ以上の調整ディスク９６は、離脱する（defect）か、またはたわんで、ピストンアセンブリ３２の中速における第２の流れまたはさらなる流れを可能にする。複数の屈曲ディスク９２は、複数の円盤バネ８８の予負荷力制御と組み合わさって、複数の円盤バネ８８、複数のシムディスク９０、および複数の屈曲ディスク９２の上昇点を制御する。ピストンアセンブリ３２のより高い速度における第３の流れまたはさらなる流れは、複数の円盤バネ８８の内径がガイドスリーブ８４に沿って軸方向に移動し、かつ外径がバルブ接合部８６によって位置を維持されているので、複数の屈曲ディスク９２が円盤バネ８８の弾性的なたわみによってガイドスリーブ８４に沿って軸方向に移動するときに生じる。
【００２１】
１回の反跳動作の間に、下部作動チャンバ２４６における流体は、加圧され、複数の屈曲ディスク９２に作用する流体圧力を生じさせる。流体の第１の流れまたは初期の流れは、ピストンアセンブリ３２の低速において、開口ディスク９４における孔１００を通って流れる。ピストンアセンブリ３２の速度が上昇すると、複数の屈曲ディスク９２に作用する流体圧力は、増加し、複数の屈曲ディスク９２に対するたわみ負荷を最終的に超え、複数の屈曲ディスク９２は、弾性的に歪んで、複数の反跳通路７２を開き、下部作動チャンバ４６から上部作動チャンバ４４までの第２の流体の流れを可能にする。複数の屈曲ディスク９２の設計および強度、ならびに複数の反跳通路７２の大きさは、反跳時における緩衝装置２０にとっての制動特性を決定する。ピストンアセンブリ３２の速度がさらに上昇すると、上部作動チャンバ４４内の流体圧力は予め決定されたレベルに達し、流体圧力は、複数の屈曲ディスク９２にバルブ本体６０の上昇を生じさせる。複数の屈曲ディスク９２の上昇は、複数の屈曲ディスク９２、複数のシムディスク９０、および複数の円盤バネ８８に、ガイドスリーブ８４の外径に沿った軸方向への移動を起こさせて、反跳通路７２を完全に開き、第３の流路を生じさせることを可能にする。
【００２２】
図４を参照すると、基部バルブアセンブリ３８は、バルブ本体１１２、圧縮バルブアセンブリ１１４、および反跳バルブアセンブリ１１６を備えている。圧縮バルブアセンブリ１１４および反跳バルブアセンブリ１１６は、締めねじ１１８および留めねじ１２０を用いてバルブ本体１１２に取り付けられている。留めねじ１２０の締め付けは、バルブ本体１１２に向かうバイアスを圧縮バルブアセンブリ１１４に加える。バルブ本体１１２は、複数の圧縮通路１２２および複数の反跳通路１２４を規定している。
【００２３】
反跳バルブアセンブリ１１６は、バルブディスク１２８およびバルブバネ１３０を備えている。バルブディスク１２８は、バルブ本体１１２と接触し、反跳通路１２４を閉じる。バルブバネ１３０は、バルブ本体１１２に向かわせるバイアスバルブディスク１２８に加えるために、留めねじ１２０およびバルブディスク１２８の間に配置されている。１回の反跳動作の間において、下部作動チャンバにおける流体は、圧力の低下を生じ、貯留チャンバ５２における流体圧力をバルブディスク１２８に作用させる。バルブディスク１２８に対する流体圧力が、バルブバネ１３０のバイアス負荷を超えると、バルブディスク１２８は、バルブ本体１１２から離れて、反跳通路１２４を開き、かつ貯留チャンバ５２からの下部作動チャンバ４６への流体の流れを可能にする。典型的に、バルブバネ１３０は、バルブディスク１２８に小さい負荷のみを及ぼし、圧縮バルブアセンブリ１１４は、貯留チャンバ５２および下部作動チャンバ４６の間における逆止めバルブとして機能する。１回の反跳動作にとっての制動特性は、以下に詳述される通り、反跳バルブアセンブリ６４によって制御されるが、反跳バルブアセンブリ１１６は、制動特性に寄与するために設計され得る。
【００２４】
圧縮バルブアセンブリ１１４は、反跳バルブアセンブリ６４と同じであるが、下部作動チャンバ４６からの貯留チャンバ５２までの、緩衝装置２０の１回の圧縮動作の間における流体の流れを制御するために、バルブ本体１１２に取り付けられている。
【００２５】
圧縮バルブアセンブリ１１４は、ガイドスリーブ８４、バルブ接合部８６、複数の円盤バネ８８、複数のシムディスク９０および複数の屈曲ディスク９２を備えている。ガイドスリーブ８４は、締めねじ１１８に滑動式またはねじ式に受けられており、バルブ本体１１２、および締めねじ１１８の先端の間に配置されている。バルブ接合部８６、複数の円盤バネ８８、複数のシムディスク９０および複数の屈曲ディスク９２はすべて、ガイドスリーブ８４の外径に滑動式に受けられている。バルブ接合部８６は締めねじ１１８と直接に係合しており、複数の円盤バネ８８はバルブ接合部８６と直接に係合しており、複数のシムディスク９０は複数の円盤バネ８８と直接に係合しており、複数の屈曲ディスク９２は、複数のシムディスク９０およびバルブ本体１１２と直接的に係合している。図４を参照すると、バルブ接合部８６が、図３と同様にガイドスリーブ８４に滑動式に受けられるように、バルブ接合部８６は、ガイドスリーブ８４から分けられている。これは、ガイドスリーブ８４に沿って軸方向にバルブ接合部を移動させることによって、複数の円盤バネ８８の予圧を調節可能にする。複数の円盤バネ８８の適切な予圧がいったん達成されると、当該技術において知られているように、バルブ接合部８６は、ガイドスリーブ８４に対して、シム固定され得るか、圧着され得るか、支柱固定され得るか、溶接され得るか、または別の方法によって取り付けられ得る。他の選択肢は、ガイドスリーブ８４にバルブ接合部８６を圧入させることである。
【００２６】
バルブ接合部８６は、複数の円盤バネ８８、複数のシムディスク９０および複数の屈曲ディスク９２に支持をもたらしている。複数の円盤バネ８８は、屈曲するか、またはたわんで、バルブ本体１１２に向かわせるバイアスを複数の屈曲ディスク９２に加える特定の負荷をもたらす。複数のシムディスク９０は、複数の屈曲ディスク９２の屈曲する程度を調節するか、または決定するために設けられており、したがって、複数のシムディスク９０は、バルブ本体１１２に向かわせるバイアスを複数の屈曲ディスク９２に加える特定の負荷の程度を調節するか、または決定する。
【００２７】
複数の屈曲ディスク９２は、バルブ本体１１２に直接に接続している開口ディスク９４、１つ以上の調整ディスク９６および支点ディスク９８を備えている。複数の屈曲ディスク９２に流体圧力が加えられると、第１の流れまたは初期の流れは、開口ディスク９４またはバルブ本体１１２によって規定されている孔１００を通って流れる。第１の流れまたは初期の流れは、低速制動を調節するために使用されており、ピストンアセンブリ３２の低速における力−速度曲線の峻度を制御し得る。１つ以上の調整ディスク９６の数、直径および厚さは、ピストンアセンブリ３２の低速および中速の間における変化を制御する。開口ディスク９４および１つ以上の調整ディスク９６は、離脱するか、またはたわんで、ピストンアセンブリ３２の中速における第２の流れまたはさらなる流れを可能にする。複数の屈曲ディスク９２は、複数の円盤バネ８８の予負荷力制御と組み合わさって、複数の円盤バネ８８、複数のシムディスク９０、および複数の屈曲ディスク９２の上昇点を制御する。ピストンアセンブリ３２のより高い速度における第３の流れまたはさらなる流れは、複数の円盤バネ８８の内径がガイドスリーブ８４に沿って軸方向に移動し、かつ外径がバルブ接合部８６によって位置を維持されているので、複数の屈曲ディスク９２が円盤バネ８８の弾性的なたわみによってガイドスリーブ８４に沿って軸方向に移動するときに生じる。
【００２８】
１回の圧縮動作の間に、加圧された下部作動チャンバ４６内の流体は、加圧され、複数の屈曲ディスク９２に作用する流体圧力を生じさせる。流体の第１の流れまたは初期の流れは、ピストンアセンブリ３２の低速において、開口ディスク９４における孔１００を通って流れる。ピストンアセンブリ３２の速度が上昇すると、複数の屈曲ディスク９２に作用する流体圧力は、増加し、複数の屈曲ディスク９２に対するたわみ負荷を最終的に超え、複数の屈曲ディスク９２は、弾性的に歪んで、複数の圧縮通路１２２を開き、下部作動チャンバ４６から上部作動チャンバ４４までの第２の流体の流れを可能にする。複数の屈曲ディスク９２の設計および強度、ならびに複数の圧縮通路１２２の大きさは、圧縮時における緩衝装置２０にとっての制動特性を決定する。ピストンアセンブリ３２の速度がさらに上昇すると、下部作動チャンバ４６内の流体圧力は予め決定されたレベルに達し、流体圧力は、複数の屈曲ディスク９２にバルブ本体１１２の上昇を生じさせる。複数の屈曲ディスク９２の上昇は、複数の屈曲ディスク９２、複数のシムディスク９０、および複数の円盤バネ８８に、ガイドスリーブ８４の外径に沿った軸方向への移動を起こさせて、圧縮通路１２２を完全に開き、第３の流路を生じさせることを可能にする。
【００２９】
ここで、図５を参照すると、本開示の他の実施形態に係る緩衝装置２２０が示されている。緩衝装置２２０は、圧力管２３０、ピストンアセンブリ２３２およびピストンロッド２３４を備えている単管式に設計された緩衝装置である。
【００３０】
圧力管２３０は流体チャンバ２４２を規定している。ピストンアセンブリ２３２は、滑動可能に圧力管２３０内に配置されており、流体チャンバ２４２を、上部作動チャンバ２４４および下部作動チャンバ２４６に分けている。シール２４８は、過度の摩擦力を生じない圧力管２３０に対するピストンアセンブリ２３２の滑り運動、および下部作動チャンバ２４６から上部作動チャンバ２４４を密閉することを可能にするために、ピストンアセンブリ２３２および圧力管２３０の間に配置されている。ピストンロッド２３４は、ピストンアセンブリ２３２に取り付けられており、上部作動チャンバ２４４、および圧力管２３０の上端を閉じている上端キャップ２５０を通って伸びている。シールシステムは、上端キャップ２５０、圧力管２３０およびピストンロッド２３４の間における接合部を密閉している。ピストンアセンブリ２３２の反対側にあるピストンロッド２３４の先端は、車両１０のバネが付されていない集合体およびバネが付されている集合体の一方に固定されるために適合されている。ピストンアセンブリ２３２内のバルブによる調節は、圧力管２３０内におけるピストンアセンブリ２３２の動作の間における、上部作動チャンバ２４４および下部作動チャンバ２４６の間における流体の移動を制御する。ピストンロッド２３４は、上部作動チャンバ２４４のみを通って伸びており、かつ下部作動チャンバ２４６を通って伸びていないので、圧力管２３０に対するピストンアセンブリ２３２の動作は、上部作動チャンバ２４４に移される流体の量および下部作動チャンバ２４６に移される流体の量に、差異を生じさせる。移される流体の量における差異は、「ロッド体積」として知られており、当該技術においてよく知られている通り、浮動ピストン２５２の使用によってもたらされる。端部キャップ２５４は、車両１０のバネが付されていない集合およびバネが付されている集合の他方に固定されるために適合されている。
【００３１】
ここで、図６を参照すると、ピストンアセンブリ２３２は、バルブ本体２６０、圧縮バルブアセンブリ１１４および反跳バルブアセンブリ６４を備えている。圧縮バルブアセンブリ１１４は、ピストンロッド２３４にある肩部２６６に取り付けられている。バルブ本体２６０は、圧縮バルブアセンブリ１１４および反跳バルブアセンブリ６４に取り付けられている。留めねじ２６８は、ピストンロッド２３４にこれらの構成要素を固定する。
【００３２】
バルブ本体２６０は、複数の圧縮通路２７０および複数の反跳通路２７２を規定している。シール２４８は、ピストンアセンブリの滑り動作を可能にするために複数の環状の溝とかみ合うリブを備えている。
【００３３】
圧縮バルブアセンブリ１１４は、ガイドスリーブ８４、バルブ接合部８６、複数の円盤バネ８８、複数のシムディスク９０および複数の屈曲ディスク９２を備えている。図示されている通り、ガイドスリーブ８４およびバルブ接合部８６は、単一の構成要素である。ガイドスリーブ８４は、ピストンロッド２３４に滑動式またはねじ式に受けられており、ピストンロッド２３４にある肩部２６６およびバルブ本体２６０の間に配置されている。複数の円盤バネ８８は、複数のシムディスク９０および複数の屈曲ディスク９２はすべて、肩部２６６と直接に係合しており、複数の円盤バネ８８はバルブ接合部８６と直接に係合しており、複数のシムディスク９０は複数の円盤バネ８８と直接に係合しており、複数の屈曲ディスク９２は複数のシムディスク９０およびバルブ本体２６０と直接に係合している。
【００３４】
バルブ接合部８６は、複数の円盤バネ８８、複数のシムディスク９０、および複数の屈曲ディスク９２に支持をもたらしている。複数の円盤バネ８８は、複数の円盤バネ８８は、屈曲するか、またはたわんで、バルブ本体２６０に向かわせるバイアスを複数の屈曲ディスク９２に加える特定の負荷を与える。複数のシムディスク９０は、複数の屈曲ディスク９２の屈曲する程度を調整するか、または決定するために設けられており、したがって、バルブ本体２６０に向かわせるバイアスを複数の屈曲ディスク９２に加える特定の負荷の程度を調整するか、または決定する。
【００３５】
複数の屈曲ディスク９２は、バルブ本体２６０、１つ以上の調整ディスク９６および複数の支点ディスク９８と直接に接している、開口ディスク９４を備えている。流体圧力が複数の屈曲ディスク９２に加えられると、流体の第１の流れまたは初期の流れは、開口ディスク９４またはバルブ本体２６０によって規定されている任意の孔１００を通って流れる。流体の第１の流れまたは初期の流れは、低速制動を調節するために使用されており、ピストンアセンブリ２３２の低速における力−速度曲線の峻度を制御し得る。１つ以上の調整ディスク９６の数、直径および厚さは、ピストンアセンブリ２３２の低速および中速の間における変化を調節する。開口ディスク９４および１つ以上の調整ディスク９６は、離脱するか、またはたわんで、ピストンアセンブリ２３２の中速における第２の流体の流れまたはさらなる流体の流れを可能にする。複数の屈曲ディスク９２は、複数の円盤バネ８８の予負荷力制御と組み合わさって、複数の円盤バネ８８、複数のシムディスク９０および複数の屈曲ディスク９２の上昇点を調節する。ピストンアセンブリ３２のより高い速度における第３の流体の流れまたはさらなる流体の流れは、複数の円盤バネ８８の内径がガイドスリーブ８４に沿って軸方向に移動し、かつ外径がバルブ接合部８６によって位置を維持されているので、複数の屈曲ディスク９２が円盤バネ８８の弾性的なたわみによってガイドスリーブ８４に沿って軸方向に移動するときに生じる。
【００３６】
１回の圧縮動作の間に、下部作動チャンバ２４６における流体は、加圧され、複数の屈曲ディスク９２に作用する流体圧力を生じさせる。流体の第１の流れまたは初期の流れは、ピストンアセンブリ２３２の低速において、開口ディスク９４における孔１００を通って流れる。ピストンアセンブリ２３２の速度が上昇すると、複数の屈曲ディスク９２に作用する流体圧力は、増加し、複数の屈曲ディスク９２に対するたわみ負荷を超え、複数の屈曲ディスク９２は、弾性的に歪んで、複数の圧縮通路２７０を開き、下部作動チャンバ２４６から上部作動チャンバ２４４までの第２の流体の流れを可能にする。複数の屈曲ディスク９２の設計および強度、ならびに複数の圧縮通路２７０の大きさは、圧縮時における緩衝装置２０にとっての制動特性を決定する。ピストンアセンブリ２３２の速度がさらに上昇すると、下部作動チャンバ２４６内の流体圧力は予め決定されたレベルを超え、流体圧力は、複数の屈曲ディスク９２によるバルブ本体２６０の上昇を生じさせる。複数の屈曲ディスク９２の上昇は、複数の屈曲ディスク９２、複数のシムディスク９０および複数の円盤バネ８８に、ガイドスリーブ８４の外径に沿った軸方向への移動を起こさせて、圧縮通路２７０を完全に開き、第３の流路を生じることを可能にする。
【００３７】
反跳バルブアセンブリ６４は、ガイドスリーブ８４、バルブ接合部８６、複数の円盤バネ８８、複数のシムディスク９０および複数の屈曲ディスク９２を備えている。ガイドスリーブ８４は、ピストンロッド２３４に滑動式またはねじ式に受けられており、バルブ本体２６０および留めねじ２６８の間に配置されている。バルブ接合部８６、複数の円盤バネ８８、複数のシムディスク９０および複数の屈曲ディスク９２はすべて、ガイドスリーブ８４の外径に滑動式に受けられている。バルブ８６は留めねじ２６８と直接に係合しており、複数の円盤バネ８８はバルブ接合部８６と直接に係合しており、複数のシムディスク９０は複数の円盤バネ８８と直接に係合しており、複数の屈曲ディスク９２は、複数のシムディスク９０およびバルブ本体２６０と直接に係合している。
【００３８】
バルブ接合部８６は、複数の円盤バネ８８、複数のシムディスク９０および複数の屈曲ディスク９２に支持をもたらしている。複数の円盤バネ８８は、屈曲するか、またはたわんで、バルブ本体２６０に向かわせるバイアスを複数の屈曲ディスク９２に加える特定の負荷を与える。複数のシムディスク９０は、複数の屈曲ディスク９２の屈曲する程度を調整するか、または決定するために設けられており、したがって、バルブ本体２６０に向かわせるバイアスを複数の屈曲ディスク９２に加える特定の負荷の程度を調整するか、または決定する。
【００３９】
複数の屈曲ディスク９２は、バルブ本体２６０、１つ以上の調整ディスク９６および複数の支点ディスク９８と直接に接している、開口ディスク９４を備えている。流体圧力が複数の屈曲ディスク９２に加えられると、流体の第１の流れまたは初期の流れは、開口ディスク９４またはバルブ本体２６０によって規定されている任意の孔１００を通って流れる。流体の第１の流れまたは初期の流れは、低速制動を調節するために使用されており、ピストンアセンブリ３３２の低速における力−速度曲線の峻度を制御し得る。１つ以上の調整ディスク９６の数、直径および厚さは、ピストンアセンブリ２３２の低速および中速の間における変化を調節する。開口ディスク９４および１つ以上の調整ディスク９６は、離脱するか、またはたわんで、ピストンアセンブリ３３２の中速における第２の流体の流れまたはさらなる流体の流れを可能にする。複数の屈曲ディスク９２は、複数の円盤バネ８８の予負荷力制御と組み合わさって、複数の円盤バネ８８、複数のシムディスク９０および複数の屈曲ディスク９２の上昇点を調節する。ピストンアセンブリ３３２のより高い速度における第３の流体の流れまたはさらなる流体の流れは、複数の円盤バネ８８の内径がガイドスリーブ８４に沿って軸方向に移動し、かつ外径がバルブ接合部８６によって位置を保持されているので、複数の屈曲ディスク９２が複数の円盤バネ８８の弾性的なたわみによってガイドスリーブ８４に沿って軸方向に移動するときに生じる。
【００４０】
１回の反跳動作の間に、上部作動チャンバ２４４における流体は、加圧され、複数の屈曲ディスク９２に作用する流体圧力を生じさせる。流体の初期の流れは、ピストンアセンブリ２３２の低速において、開口ディスク９４における孔１００を通って流れる。ピストンアセンブリ２３２の速度が上昇すると、複数の屈曲ディスク９２に作用する流体圧力は、増加し、複数の屈曲ディスク９２に対するたわみ負荷を超え、複数の屈曲ディスク９２は、弾性的に歪んで、複数の反跳通路２７２を開き、上部作動チャンバ２４４から下部作動チャンバ２４６までの第２の流体の流れを可能にする。複数の屈曲ディスク９２の設計および強度、ならびに複数の反跳通路２７２の大きさは、反跳時における緩衝装置２２０にとっての制動特性を決定する。ピストンアセンブリ２３２の速度がさらに上昇すると、上部作動チャンバ２４４内の流体圧力は予め決定されたレベルを超え、流体圧力は、複数の屈曲ディスク９２によるバルブ本体２６０の上昇を生じさせる。複数の屈曲ディスク９２の上昇は、複数の屈曲ディスク９２、複数のシムディスク９０および複数の円盤バネ８８に、ガイドスリーブ８４の外径に沿った軸方向への移動を起こさせて、反跳通路２７２を完全に開き、第３の流路を生じることを可能にする。
【００４１】
図６に図示されている通り、反跳バルブアセンブリ６４は、高速制限ディスク７４およびシムディスク７６を受け得る。高速制限ディスク７４は、複数の反跳通路２７２を通る流体の流量を制限するために設計されている。高速制限ディスク７４の使用は、反跳時における高速の流体の流れの間における高速の流体の流れ、およびしたがって制動特性が、高速制動ディスク７４の大きさによって制御される任意の数のピストンアセンブリ２３２に、単一のバルブ本体２６０の使用を可能にさせる。高速制限ディスク７４は、図３に図示されている反跳バルブアセンブリ６４に組み込まれ得る。
【００４２】
ここで、図６および７を参照すると、高速制限ディスク７４がより詳細に示されている。高速制限ディスク７４は、バルブ本体と直接に接続して配置されている環状のディスクである。図６および７に図示されている通り、高速制限ディスク７４は、制御されたスロット領域２７４をもたらすために、反跳通路２７２の上まで伸びている。制御されたスロット領域２７４は、高速な流体の流れの間における高速な流体の流れ、およびしたがって制動特性を制御する複数の反跳通路２７２のそれぞれについての大きさを規定している。
【００４３】
ここで、図６および８を参照すると、高速制限ディスク７４’がより詳細に図示されている。高速制限ディスク７４’は、図６において仮想的に示されている。高速制限ディスク７４’は、バルブ本体２６０の反対側、すなわち圧縮側に配置されており、高速制限ディスク７４’は、環状部分２８０、および環状部分２８０から外側に向かって放射状に伸びている複数の舌部２８２を備えている。高速制限ディスク７４’はバルブ本体と直接に接続して配置されている。図６および８に図示されているように、複数の舌部２８２のそれぞれは、制御されたスロット領域２８４をもたらすために、それぞれの反跳通路２７２の上まで伸びている。制御されたスロット領域２８４は、高速な流体の流れの間において、高速な流体の流れ、およびしたがって制動特性を制御する複数の反跳通路２７２のそれぞれにとっての開口の大きさを規定している。制御されたスロット領域２８４は、複数の反跳通路２７２のそれぞれについて同じ大きさであるとして図示されているが、複数の反跳通路２７２の１つ以上について異なる大きさを有していることは、本発明の範囲内にある。
【００４４】
ここで、図６および９を参照すると、高速制限ディスク７４’’がより詳細に図示されている。高速制限ディスク７４’’は、図６において仮想的に示されている。高速制限ディスク７４’’は、バルブ本体２６０の反対側、すなわち圧縮側に配置されており、高速制限ディスク７４’’は、環状部分２８６、および環状部分２８６から外側に放射状に延びている複数の舌部２８８を備えている。高速制限ディスク７４’’は、バルブ本体２６０と直接に接続して配置されている。図６および９に図示されているように、一対の舌部２８８が、制御されたスロット領域２９０をもたらすために、それぞれの反跳通路２７２の反対側の端部まで伸びている。制御されたスロット領域２９０は、高速な流体の流れの間における高速な流体の流れ、およびしたがって制動特性を制御する複数の反跳通路２７２のそれぞれの開口の大きさを規定している。制御されたスロット領域２９０は、複数の反跳通路２７２のそれぞれについて同じ大きさであるとして図示されているが、複数の反跳通路２７２の１つ以上について異なる大きさを有していることは、本発明の範囲内にある。
【００４５】
ここで、図１０を参照すると、バルブ本体２６０の圧縮側を示しているバルブ本体の上面図が図示されている。複数の圧縮通路２７０のそれぞれは、単一のランド部２９２によって囲まれている。複数の屈曲ディスク９２の開口ディスク９４は、単一のランド部２９２のそれぞれと直接に係合している。したがって、孔１００は、圧縮バルブアセンブリ１１４に組み込まれている場合に、孔１００はそれぞれの密閉ランド部２９２と係合している領域における開口ディスク９４の１つ以上の領域に組み込まれ得るか、または１つ以上の密閉ランド部２９２は孔１００を備え得る。
【００４６】
図１０を参照すると、それぞれの密閉ランド部２９２の半径方向の最外部は直径Ｄ１を規定している。その放射方向における最外部について密閉ランド部２９２のそれぞれは、直径Ｄ２を規定している。したがって、密閉ランド部２９２のそれぞれは、バルブ本体２６０の外径と並べられていないか、または当該外径と対応していない。この構造は、屈曲ディスク９２の滑らかな開口または閉鎖をもたらし、開口または閉鎖の間により小さい圧力の最高点を生じさせる。これは、快適さおよび騒音・振動・ハーシュネスの間における向上した妥協度を有している圧縮バルブアセンブリ１１４をもたらす。
【００４７】
ここで、図１１ＡおよびＢを参照すると、ピストンアセンブリ３３２が図示されている。ピストンアセンブリ３３２は、図５および６におけるピストンアセンブリ２３２の直接的な代替物である。ピストンアセンブリ３３２は、バルブ本体２６０、圧縮バルブアセンブリ１１４および反跳バルブアセンブリ６４を備えている。圧縮バルブアセンブリ１１４は、ピストンロッド２３４の肩部２６６に取り付けられている。バルブ本体２６０は、圧縮バルブアセンブリ１１４に取り付けられており、反跳バルブアセンブリ６４は、バルブ本体２６０に取り付けられている。留めねじ２６８は、ピストンロッド２３４にこれらの構成要素を固定している。
【００４８】
バルブ本体２６０は、複数の圧縮通路２７０および複数の反跳通路２７２を規定している。シール２４８は、ピストンアセンブリ３３２の滑動を可能にする環状の溝とかみ合う複数のリブを備えている。
【００４９】
圧縮バルブアセンブリ１１４は、ガイドスリーブ８４、バルブ接合部８６、１つ以上の円盤バネ８８、複数のシムディスク９０および複数の屈曲ディスク９２を備えている。図示されている通り、ガイドスリーブ８４およびバルブ接合部８６は単一の構成要素である。ガイドスリーブ８４は、ピストンロッド２３４において、滑動式またはねじ式に受けられており、ピストンロッド２３４にある肩部２６６およびバルブ本体２６０の間に配置されている。１つ以上の円盤バネ８８、複数のシムディスク９０および複数の屈曲ディスク９２はすべて、ガイドスリーブ８４の外径に滑動式に受けられている。バルブ接合部８６は肩部２６６と直接に係合しており、１つ以上の円盤バネ８８はバルブ接合部８６と直接に係合しており、複数のシムディスク９０は１つ以上の円盤バネ８８と直接に係合しており、複数の屈曲ディスク９２は、複数のシムディスク９０およびバルブ本体２６０と直接に係合している。
【００５０】
バルブ接合部８６は、１つ以上の円盤バネ８８、複数のシムディスク９０および複数の屈曲ディスク９２に支持をもたらしている。複数の円盤バネ８８は、屈曲するか、またはたわんで、バルブ本体２６０に向かわせるバイアスを複数の屈曲ディスク９２に加える特定の負荷を与える。複数のシムディスク９０は、複数の屈曲ディスク９２の屈曲する程度を調整するか、または決定するために設けられており、したがって、バルブ本体２６０に向かわせるバイアスを複数の屈曲ディスク９２に加える特定の負荷の程度を調整するか、または決定する。
【００５１】
複数の屈曲ディスク９２は、バルブ本体２６０、１つ以上の調整ディスク９６および複数の支点ディスク９８と直接に接している、開口ディスク９４を備えている。流体圧力が複数の屈曲ディスク９２に加えられると、流体の第１の流れまたは初期の流れは、開口ディスク９４またはバルブ本体２６０によって規定されている任意の孔１００を通って流れる。流体の第１の流れまたは初期の流れは、低速制動を調節するために使用されており、ピストンアセンブリ３３２の低速における力−速度曲線の峻度を制御し得る。１つ以上の調整ディスク９６の数、直径および厚さは、ピストンアセンブリ３３２の低速および中速の間における変化を調節する。開口ディスク９４および１つ以上の調整ディスク９６は、離脱するか、またはたわんで、ピストンアセンブリ３３２の中速における第２の流体の流れまたはさらなる流体の流れを可能にする。複数の屈曲ディスク９２は、複数の円盤バネ８８の予負荷力制御と組み合わさって、複数の円盤バネ８８、複数のシムディスク９０および複数の屈曲ディスク９２の上昇点を調節する。ピストンアセンブリ３３２のより高い速度における第３の流体の流れまたはさらなる流体の流れは、複数の円盤バネ８８の内径がガイドスリーブ８４に沿って軸方向に移動し、かつ外径がバルブ接合部８６によって位置を維持されているので、複数の屈曲ディスク９２が円盤バネ８８の弾性的なたわみによってガイドスリーブ８４に沿って軸方向に移動するときに生じる。
【００５２】
１回の圧縮動作の間に、下部作動チャンバ２４６における流体は、加圧され、複数の屈曲ディスク９２に作用する流体圧力を生じさせる。流体の第１の流れまたは初期の流れは、ピストンアセンブリ３３２の低速において、開口ディスク９４における孔１００を通って流れる。ピストンアセンブリ３３２の速度が上昇すると、複数の屈曲ディスク９２に作用する流体圧力は、増加し、複数の屈曲ディスク９２に対するたわみ負荷を最終的に超え、複数の屈曲ディスク９２は、弾性的に歪んで、複数の圧縮通路２７０を開き、下部作動チャンバ２４６から上部作動チャンバ２４４までの第２の流体の流れを可能にする。複数の屈曲ディスク９２の設計および強度、ならびに複数の圧縮通路２７０の大きさは、圧縮時における緩衝装置２２０にとっての制動特性を決定する。ピストンアセンブリ３３２の速度がさらに上昇すると、下部作動チャンバ２４６内の流体圧力は予め決定されたレベルに達し、流体圧力は、複数の屈曲ディスク９２によるバルブ本体２６０の上昇を生じさせる。複数の屈曲ディスク９２の上昇は、複数の屈曲ディスク９２、複数のシムディスク９０および１つ以上の円盤バネ８８に、ガイドスリーブ８４の外径に沿った軸方向への移動を起こさせて、圧縮通路２７０を完全に開き、第３の流体の流れを生じることを可能にする。
【００５３】
反跳バルブアセンブリ６４は、留めねじ２６８、バルブ接合部８６、１つ以上の円盤バネ８８、複数のシムディスク９０、複数の屈曲ディスク９２、および高速制限ディスク７４を備えている。留めねじ２６８は、ピストンロッド２３４に受けられており、高速制限ディスク７４と直接に係合している。バルブ接合部８６、複数の円盤バネ８８、複数のシムディスク９０および複数の屈曲ディスク９２のすべては、留めねじ２６８の外径に滑動式に受けられている。バルブ接合部８６は、１つ以上の円盤バネ８８と直接に係合しており、複数のシムディスク９０は複数の円盤バネ８８と直接に係合しており、複数の屈曲ディスク９２は、複数のシムディスク９０およびバルブ本体２６０と直接に係合している。
【００５４】
バルブ接合部８６は、１つ以上の円盤バネ８８、複数のシムディスク９０および複数の屈曲ディスク９２に支持をもたらしている。１つ以上の円盤バネ８８は、屈曲するか、またはたわんで、バルブ本体２６０に向かわせるバイアスを複数の屈曲ディスク９２に加える特定の負荷を与える。複数のシムディスク９０は、複数の屈曲ディスク９２の屈曲する程度を調整するか、または決定するために設けられており、したがって、バルブ本体２６０に向かわせるバイアスを複数の屈曲ディスク９２に加える特定の負荷の程度を調整するか、または決定する。
【００５５】
複数の屈曲ディスク９２は、バルブ本体２６０、１つ以上の調整ディスク９６および複数の支点ディスク９８と直接に接している、開口ディスク９４を備えている。流体圧力が複数の屈曲ディスク９２に加えられると、流体の第１の流れまたは初期の流れは、開口ディスク９４またはバルブ本体２６０によって規定されている任意の孔１００を通って流れる。流体の第１の流れまたは初期の流れは、低速制動を調節するために使用されており、ピストンアセンブリ３３２の低速における力−速度曲線の峻度を制御し得る。１つ以上の調整ディスク９６の数、直径および厚さは、ピストンアセンブリ３３２の低速および中速の間における変化を調節する。開口ディスク９４および１つ以上の調整ディスク９６は、離脱するか、またはたわんで、ピストンアセンブリ３３２の中速における第２の流体の流れまたはさらなる流体の流れを可能にする。複数の屈曲ディスク９２は、１つ以上の円盤バネ８８の予負荷力制御と組み合わさって、１つ以上の円盤バネ８８、複数のシムディスク９０および複数の屈曲ディスク９２の上昇点を調節する。ピストンアセンブリ３３２のより高い速度における第３の流体の流れまたはさらなる流体の流れは、１つ以上の円盤バネ８８の内径が留めねじ２６８に沿って軸方向に移動し、かつ外径がバルブ接合部８６によって位置を保持されているので、複数の屈曲ディスク９２が１つ以上の円盤バネ８８の弾性的なたわみによって留めねじ２６８に沿って軸方向に移動するときに生じる。
【００５６】
１回の反跳動作の間に、上部作動チャンバ２４４における流体は、加圧され、複数の屈曲ディスク９２に作用する流体圧力を生じさせる。流体の初期の流れは、ピストンアセンブリ３３２の低速において、開口ディスク９４における孔１００を通って流れる。ピストンアセンブリ３３２の速度が上昇すると、複数の屈曲ディスク９２に作用する流体圧力は、増加し、複数の屈曲ディスク９２に対するたわみ負荷を超え、複数の屈曲ディスク９２は、弾性的に歪んで、複数の反跳通路２７２を開き、上部作動チャンバ２４４から下部作動チャンバ２４６までの第２の流体の流れを可能にする。複数の屈曲ディスク９２の設計および強度、ならびに複数の反跳通路２７２の大きさは、反跳時における緩衝装置２２０にとっての制動特性を決定する。ピストンアセンブリ３３２の速度がさらに上昇すると、上部作動チャンバ２４４内の流体圧力は予め決定されたレベルを超え、流体圧力は、複数の屈曲ディスク９２によるバルブ本体２６０の上昇を生じさせる。複数の屈曲ディスク９２の上昇は、複数の屈曲ディスク９２、複数のシムディスク９０および１つ以上の円盤バネ８８に、留めねじ２６８の外径に沿った軸方向への移動を起こさせて、反跳通路２７２を完全に開き、第３の流路を生じることを可能にする。
【００５７】
図１１Ａおよび１１Ｂに図示されている通り、バルブ接合部８６は、留めねじ２６８において滑動式に受けられている。シムディスク３３４は、複数の屈曲ディスク９２および高速制限ディスク７４の間に配置されている。図６において、シムディスク７６は、ガイドスリーブ８４および高速制限ディスク７４の間にあるとして示されているが、図１１Ｂに示されている通り、シムディスク３３４は、ガイドスリーブにおいて滑動式に受けられている。図１１Ａおよび１１Ｂに図示されている設計は、反跳バルブアセンブリ６４の予負荷調整のための直結型の圧接処理を可能にする。１つ以上の円盤バネ８８、複数のシムディスク９０および複数の屈曲ディスク９２にとっての予負荷は、留めねじ２６８に沿ったバルブ接合部８６の軸方向位置を調整することによって決定され得る。所望または特定の予負荷が得られると、圧接動作が、留めねじ２６８によって規定されている溝３３６に、バルブ接合部８６の位置を圧接することによって実施されて、留めねじ２６８にバルブ接合部８６を固定して締め付けるクリンプ３３８を生じ得る。
【００５８】
ここで、図１２を参照すると、ピストンアセンブリ４３２が図示されている。ピストンアセンブリ４３２は、図５および６に図示されているピストンアセンブリ２３２の直接的な代替物である。ピストンアセンブリ４３２は、バルブ本体２６０、圧縮バルブアセンブリ１１４および反跳バルブアセンブリ６４を備えている。圧縮バルブアセンブリ１１４は、ピストンロッド２３４にある肩部２６６に取り付けられている。バルブ本体２６０は、圧縮バルブアセンブリ１１４に取り付けられており、反跳バルブアセンブリは、バルブ本体２６０に取り付けられている。留めねじ２６８は、ピストンロッドにこれらの構成要素を固定している。
【００５９】
バルブ本体２６０は、複数の圧縮通路２７０および複数の反跳通路２７２を規定している。シール２４８は、ピストンアセンブリ４３２の滑動を可能にする環状の溝とかみ合う複数のリブを備えている。
【００６０】
圧縮バルブアセンブリ１１４は、ガイドスリーブ８４、バルブ接合部８６、１つ以上の円盤バネ８８、複数のシムディスク９０および複数の屈曲ディスク９２を備えている。図示されている通り、ガイドスリーブ８４およびバルブ接合部８６は単一の構成要素である。ガイドスリーブ８４は、ピストンロッド２３４において、滑動式またはねじ式に受けられており、ピストンロッド２３４にある肩部２６６およびバルブ本体２６０の間に配置されている。１つ以上の円盤バネ８８、複数のシムディスク９０および複数の屈曲ディスク９２はすべて、ガイドスリーブ８４の外径に滑動式に受けられている。バルブ接合部８６は肩部２６６と直接に係合しており、複数の円盤バネ８８はバルブ接合部８６と直接に係合しており、複数のシムディスク９０は１つ以上の円盤バネ８８と直接に係合しており、複数の屈曲ディスク９２は、複数のシムディスク９０およびバルブ本体２６０と直接に係合している。
【００６１】
バルブ接合部８６は、複数の円盤バネ８８、複数のシムディスク９０および複数の屈曲ディスク９２に支持をもたらしている。複数の円盤バネ８８は、屈曲するか、またはたわんで、バルブ本体２６０に向かわせるバイアスを複数の屈曲ディスク９２に加える特定の負荷を与える。複数のシムディスク９０は、複数の屈曲ディスク９２の屈曲する程度を調整するか、または決定するために設けられており、したがって、バルブ本体２６０に向かわせるバイアスを複数の屈曲ディスク９２に加える特定の負荷の程度を調整するか、または決定する。
【００６２】
複数の屈曲ディスク９２は、バルブ本体２６０、１つ以上の調整ディスク９６および複数の支点ディスク９８と直接に接している、開口ディスク９４を備えている。流体圧力が複数の屈曲ディスク９２に加えられると、流体の第１の流れまたは初期の流れは、開口ディスク９４またはバルブ本体２６０によって規定されている任意の孔１００を通って流れる。流体の第１の流れまたは初期の流れは、低速制動を調節するために使用されており、ピストンアセンブリ４３２の低速における力−速度曲線の峻度を制御し得る。１つ以上の調整ディスク９６の数、直径および厚さは、ピストンアセンブリ４３２の低速および中速の間における変化を調節する。開口ディスク９４および１つ以上の調整ディスク９６は、離脱するか、またはたわんで、ピストンアセンブリ４３２の中速における第２の流体の流れまたはさらなる流体の流れを可能にする。複数の屈曲ディスク９２は、１つ以上の円盤バネ８８の予負荷力制御と組み合わさって、１つ以上の円盤バネ８８、複数のシムディスク９０および複数の屈曲ディスク９２の上昇点を調節する。ピストンアセンブリ４３２のより高い速度における第３の流体の流れまたはさらなる流体の流れは、複数の円盤バネ８８の内径がガイドスリーブ８４に沿って軸方向に移動し、かつ外径がバルブ接合部８６によって位置を維持されているので、複数の屈曲ディスク９２が円盤バネ８８の弾性的なたわみによってガイドスリーブ８４に沿って軸方向に移動するときに生じる。
【００６３】
１回の圧縮動作の間に、下部作動チャンバ２４６における流体は、加圧され、複数の屈曲ディスク９２に作用する流体圧力を生じさせる。流体の第１の流れまたは初期の流れは、ピストンアセンブリ４３２の低速において、開口ディスク９４における孔１００を通って流れる。ピストンアセンブリ４３２の速度が上昇すると、複数の屈曲ディスク９２に作用する流体圧力は、増加し、複数の屈曲ディスク９２に対するたわみ負荷を超え、複数の屈曲ディスク９２は、弾性的に歪んで、複数の圧縮通路２７０を開き、下部作動チャンバ２４６から上部作動チャンバ２４４までの第２の流体の流れを可能にする。複数の屈曲ディスク９２の設計および強度、ならびに複数の圧縮通路２７０の大きさは、圧縮時における緩衝装置２２０にとっての制動特性を決定する。ピストンアセンブリ４３２の速度がさらに上昇すると、下部作動チャンバ２４６内の流体圧力は予め決定されたレベルを超え、流体圧力は、複数の屈曲ディスク９２によるバルブ本体２６０の上昇を生じさせる。複数の屈曲ディスク９２の上昇は、複数の屈曲ディスク９２、複数のシムディスク９０および１つ以上の円盤バネ８８に、ガイドスリーブ８４の外径に沿った軸方向への移動を起こさせて、圧縮通路２７０を完全に開き、第３の流路を生じることを可能にする。
【００６４】
反跳バルブアセンブリ６４は、ガイドスリーブ８４、バルブ接合部８６、１つ以上の円盤バネ８８、複数のシムディスク９０、複数の屈曲ディスク９２、および高速制限ディスク７４を備えている。ガイドスリーブ８４は、ピストンロッド２３４において滑動式またはねじ式に受けられており、高速制限ディスク７４およびキャップ４３４の間に配置されている。バルブ接合部８６、複数の円盤バネ８８、複数のシムディスク９０および複数の屈曲ディスク９２のすべては、ガイドスリーブ８４の外径に滑動式に受けられている。キャップ４３４は、留めねじ２６８と直接に係合しており、バルブ接合部８６は、キャップ４３４と直接に係合している１つ以上のシム４３６と直接に係合しており、複数の円盤バネ８８はバルブ接合部８６と直接に係合しており、複数のシムディスク９０は複数の円盤バネ８８と直接に係合しており、複数の屈曲ディスク９２はバルブ本体２６０と直接に係合している。高速制限ディスク７４は、ガイドスリーブ８４およびバルブ本体２６０の間に配置されている。
【００６５】
バルブ接合部８６は、１つ以上の円盤バネ８８、複数のシムディスク９０および複数の屈曲ディスク９２に支持をもたらしている。１つ以上の円盤バネ８８は、屈曲するか、またはたわんで、バルブ本体２６０に向かわせるバイアスを複数の屈曲ディスク９２に加える特定の負荷を与える。複数のシムディスク９０は、複数の屈曲ディスク９２の屈曲する程度を調整するか、または決定するために設けられており、したがって、バルブ本体２６０に向かわせるバイアスを複数の屈曲ディスク９２に加える特定の負荷の程度を調整するか、または決定する。
【００６６】
複数の屈曲ディスク９２は、バルブ本体２６０、１つ以上の調整ディスク９６および複数の支点ディスク９８と直接に接している、開口ディスク９４を備えている。流体圧力が複数の屈曲ディスク９２に加えられると、流体の第１の流れまたは初期の流れは、開口ディスク９４またはバルブ本体２６０によって規定されている任意の孔１００を通って流れる。流体の第１の流れまたは初期の流れは、低速制動を調節するために使用されており、ピストンアセンブリ２３２の低速における力−速度曲線の峻度を制御し得る。１つ以上の調整ディスク９６の数、直径および厚さは、ピストンアセンブリ４３２の低速および中速の間における変化を調節する。開口ディスク９４および１つ以上の調整ディスク９６は、離脱するか、またはたわんで、ピストンアセンブリ４３２の中速における第２の流体の流れまたはさらなる流体の流れを可能にする。複数の屈曲ディスク９２は、複数の円盤バネ８８の予負荷力制御と組み合わさって、複数の円盤バネ８８、複数のシムディスク９０および複数の屈曲ディスク９２の上昇点を調節する。ピストンアセンブリ４３２のより高い速度における第３の流体の流れまたはさらなる流体の流れは、複数の円盤バネ８８の内径がガイドスリーブ８４に沿って軸方向に移動し、かつ外径がバルブ接合部８６によって位置を保持されているので、複数の屈曲ディスク９２が円盤バネ８８の弾性的なたわみによってガイドスリーブ８４に沿って軸方向に移動するときに生じる。
【００６７】
１回の反跳動作の間に、上部作動チャンバ２４４における流体は、加圧され、複数の屈曲ディスク９２に作用する流体圧力を生じさせる。流体の初期の流れは、ピストンアセンブリ４３２の低速において、開口ディスク９４における孔１００を通って流れる。ピストンアセンブリ４３２の速度が上昇すると、複数の屈曲ディスク９２に作用する流体圧力は、増加し、複数の屈曲ディスク９２に対するたわみ負荷を超え、複数の屈曲ディスク９２は、弾性的に歪んで、複数の反跳通路２７２を開き、上部作動チャンバ２４４から下部作動チャンバ２４６までの第２の流体の流れを可能にする。複数の屈曲ディスク９２の設計および強度、ならびに複数の反跳通路２７２の大きさは、反跳時における緩衝装置２２０にとっての制動特性を決定する。ピストンアセンブリ４３２の速度がさらに上昇すると、上部作動チャンバ２４４内の流体圧力は予め決定されたレベルを超え、流体圧力は、複数の屈曲ディスク９２によるバルブ本体２６０の上昇を生じさせる。複数の屈曲ディスク９２の上昇は、複数の屈曲ディスク９２、複数のシムディスク９０および１つ以上の円盤バネ８８に、ガイドスリーブ８４の外径に沿った軸方向への移動を起こさせて、反跳通路２７２を完全に開き、第３の流路を生じることを可能にする。
【００６８】
ピストンアセンブリ４３２は、非直結配置および／または離れた配置における反跳バルブアセンブリ６４の予めの組み立てを可能にする。ガイドスリーブ８４は、複数の屈曲ディスク９２が直接に係合している放射状に内部に伸びるフランジ４３８を備えている。非直結配置において、複数の屈曲ディスク９２は、ガイドスリーブ８４の周りに取り付けられる。それから、複数のシムディスク９０はガイドスリーブ８４の周りに取り付けられる。それから、１つ以上の円盤バネ８８はガイドスリーブ８４の周りに取り付けられる。バルブ接合部８６はガイドスリーブ８４の周りに取り付けられる。適切な厚さの複数のシム４３６は、ガイドスリーブ８４の周りに取り付けられ、キャップ４３４は、バルブ接合部８６に、圧入されるか、または他の方法において固定される。複数のシム４３６の厚さは、複数の屈曲ディスク９２に加えられる負荷を決定する。この様式において、反跳バルブアセンブリ６４の構成要素の残りとともなっているガイドスリーブ８４は、予め組み立てられた反跳バルブアセンブリ６４として緩衝装置アセンブリの製造ラインに移され得る。
【００６９】
ここで、図１３を参照すると、ピストンアセンブリ５３２が示されている。ピストンアセンブリ５３２は、図５および６に示されているピストンアセンブリ２３２にとっての直接的な代替物である。ピストンアセンブリ５３２は、バルブ本体２６０、圧縮バルブアセンブリ１１４および反跳バルブアセンブリ６４を備えている。圧縮バルブアセンブリ１１４は、ピストンロッド２３４にある肩部２６６に取り付けられている。バルブ本体２６０は圧縮バルブアセンブリに取り付けられており、反跳バルブアセンブリ６４はバルブ本体２６０に取り付けられている。留めねじ２６８は、ピストンロッド３４にこれらの構成要素を固定している。
【００７０】
バルブ本体２６０は複数の圧縮通路２７０および複数の反跳通路２７２を規定している。シール２４８は、ピストンアセンブリ５３２の滑動を可能にするための複数の環状の溝とかみ合う複数のリブを備えている。
【００７１】
圧縮バルブアセンブリ１１４は、ガイドスリーブ８４、バルブ接合部８６、１つ以上の円盤バネ８８、複数のシムディスク９０、および複数の屈曲ディスク９２を備えている。ガイドスリーブ８４は、ピストンロッド２３４に滑動式またはねじ式に受けられており、ピストンロッド２３４にある肩部２６６およびバルブ本体２６０の間に配置されている。１つ以上の円盤バネ８８、複数のシムディスク６０および複数の屈曲ディスク９２はすべて、ガイドスリーブ８４の外径に受けられている。ガイドスリーブは肩部２６６と直接に係合しており、１つ以上の円盤バネ８８はバルブ接合部８６と直接に係合しており、複数のシムディスク９０は１つ以上の円盤バネ８８と直接に係合しており、複数の屈曲ディスク９２は複数のシムディスク９０と直接に係合している。
【００７２】
バルブ接合部８６は、複数の円盤バネ８８、複数のシムディスク９０および複数の屈曲ディスク９２に支持をもたらしている。１つ以上の円盤バネ８８は、屈曲するか、またはたわんで、バルブ本体２６０に向かわせるバイアスを複数の屈曲ディスク９２に加える特定の負荷を与える。複数のシムディスク９０は、複数の屈曲ディスク９２の屈曲する程度を調整するか、または決定するために設けられており、したがって、バルブ本体２６０に向かわせるバイアスを複数の屈曲ディスク９２に加える特定の負荷の程度を調整するか、または決定する。
【００７３】
複数の屈曲ディスク９２は、バルブ本体２６０、１つ以上の調整ディスク９６および複数の支点ディスク９８と直接に接している、開口ディスク９４を備えている。流体圧力が複数の屈曲ディスク９２に加えられると、流体の第１の流れまたは初期の流れは、開口ディスク９４またはバルブ本体２６０によって規定されている任意の孔１００を通って流れる。流体の第１の流れまたは初期の流れは、低速制動を調節するために使用されており、ピストンアセンブリ５３２の低速における力−速度曲線の峻度を制御し得る。１つ以上の調整ディスク９６の数、直径および厚さは、ピストンアセンブリ５３２の低速および中速の間における変化を調節する。開口ディスク９４および１つ以上の調整ディスク９６は、離脱するか、またはたわんで、ピストンアセンブリ４３２の中速における第２の流体の流れまたはさらなる流体の流れを可能にする。複数の屈曲ディスク９２は、１つ以上の円盤バネ８８の予負荷力制御と組み合わさって、複数の円盤バネ８８、複数のシムディスク９０および複数の屈曲ディスク９２の上昇点を調節する。ピストンアセンブリ５３２のより高い速度における第３の流体の流れまたはさらなる流体の流れは、複数の円盤バネ８８の内径がガイドスリーブ８４に沿って軸方向に移動し、かつ外径がバルブ接合部８６によって位置を維持されているので、複数の屈曲ディスク９２が円盤バネ８８の弾性的なたわみによってガイドスリーブ８４に沿って軸方向に移動するときに生じる。
【００７４】
１回の圧縮動作の間に、下部作動チャンバ２４６における流体は、加圧され、複数の屈曲ディスク９２に作用する流体圧力を生じさせる。流体の第１の流れまたは初期の流れは、ピストンアセンブリ５３２の低速において、開口ディスク９４における孔１００を通って流れる。ピストンアセンブリ５３２の速度が上昇すると、複数の屈曲ディスク９２に作用する流体圧力は、増加し、複数の屈曲ディスク９２に対するたわみ負荷を超え、複数の屈曲ディスク９２は、弾性的に歪んで、複数の圧縮通路２７０を開き、下部作動チャンバ２４６から上部作動チャンバ２４４までの第２の流体の流れを可能にする。複数の屈曲ディスク９２の設計および強度、ならびに複数の圧縮通路２７０の大きさは、圧縮時における緩衝装置２２０にとっての制動特性を決定する。ピストンアセンブリ５３２の速度がさらに上昇すると、下部作動チャンバ２４６内の流体圧力は予め決定されたレベルを超え、流体圧力は、複数の屈曲ディスク９２によるバルブ本体２６０の上昇を生じさせる。複数の屈曲ディスク９２の上昇は、複数の屈曲ディスク９２、複数のシムディスク９０および１つ以上の円盤バネ８８に、ガイドスリーブ８４の外径に沿った軸方向への移動を起こさせて、圧縮通路２７０を完全に開き、第３の流路を生じることを可能にする。
【００７５】
反跳バルブアセンブリ６４は、ガイドスリーブ８４、バルブ接合部８６、１つ以上の円盤バネ８８、複数のシムディスク９０および複数の屈曲ディスク９２を備えている。ガイドスリーブ８４は、ピストンロッド２３４に滑動式またはねじ式に受けられており、バルブ本体２６０および留めねじ２６８の間に配置されている。図示されている通り、ガイドスリーブ８４は、留めねじ２６８と一体であるか、留めねじ２６８をともなった一部品として示されている。バルブ接合部８６、複数の円盤バネ８８、複数のシムディスク９０および複数の屈曲ディスク９２のすべては、ガイドスリーブ８４の外径に滑動式に受けられている。１つ以上の円盤バネ８８はバルブ接合部８６と直接に係合しており、複数のシムディスク９０は複数の円盤バネ８８と直接に係合しており、複数の屈曲ディスク９２はバルブ本体２６０と直接に係合している。
【００７６】
バルブ接合部８６は、１つ以上の円盤バネ８８、複数のシムディスク９０および複数の屈曲ディスク９２に支持をもたらしている。１つ以上の円盤バネ８８は、屈曲するか、またはたわんで、バルブ本体２６０に向かわせるバイアスを複数の屈曲ディスク９２に加える特定の負荷を与える。複数のシムディスク９０は、複数の屈曲ディスク９２の屈曲する程度を調整するか、または決定するために設けられており、したがって、バルブ本体２６０に向かわせるバイアスを複数の屈曲ディスク９２に加える特定の負荷の程度を調整するか、または決定する。
【００７７】
複数の屈曲ディスク９２は、バルブ本体２６０、１つ以上の調整ディスク９６および複数の支点ディスク９８と直接に接している、開口ディスク９４を備えている。流体圧力が複数の屈曲ディスク９２に加えられると、流体の第１の流れまたは初期の流れは、開口ディスク９４またはバルブ本体２６０によって規定されている任意の孔１００を通って流れる。流体の第１の流れまたは初期の流れは、低速制動を調節するために使用されており、ピストンアセンブリ５３２の低速における力−速度曲線の峻度を制御し得る。１つ以上の調整ディスク９６の数、直径および厚さは、ピストンアセンブリ５３２の低速および中速の間における変化を調節する。開口ディスク９４および１つ以上の調整ディスク９６は、離脱するか、またはたわんで、ピストンアセンブリ５３２の中速における第２の流体の流れまたはさらなる流体の流れを可能にする。複数の屈曲ディスク９２は、複数の円盤バネ８８の予負荷力制御と組み合わさって、複数の円盤バネ８８、複数のシムディスク９０および複数の屈曲ディスク９２の上昇点を調節する。ピストンアセンブリ５３２のより高い速度における第３の流体の流れまたはさらなる流体の流れは、複数の円盤バネ８８の内径がガイドスリーブ８４に沿って軸方向に移動し、かつ外径がバルブ接合部８６によって位置を保持されているので、複数の屈曲ディスク９２が円盤バネ８８の弾性的なたわみによってガイドスリーブ８４に沿って軸方向に移動するときに生じる。
【００７８】
１回の反跳動作の間に、上部作動チャンバ２４４における流体は、加圧され、複数の屈曲ディスク９２に作用する流体圧力を生じさせる。流体の初期の流れは、ピストンアセンブリ４３２の低速において、開口ディスク９４における孔１００を通って流れる。ピストンアセンブリ４３２の速度が上昇すると、複数の屈曲ディスク９２に作用する流体圧力は、増加し、複数の屈曲ディスク９２に対するたわみ負荷を超え、複数の屈曲ディスク９２は、弾性的に歪んで、複数の反跳通路２７２を開き、上部作動チャンバ２４４から下部作動チャンバ２４６までの第２の流体の流れを可能にする。複数の屈曲ディスク９２の設計および強度、ならびに複数の反跳通路２７２の大きさは、反跳時における緩衝装置２２０にとっての制動特性を決定する。ピストンアセンブリ４３２の速度がさらに上昇すると、上部作動チャンバ２４４内の流体圧力は予め決定されたレベルを超え、流体圧力は、複数の屈曲ディスク９２によるバルブ本体２６０の上昇を生じさせる。複数の屈曲ディスク９２の上昇は、複数の屈曲ディスク９２、複数のシムディスク９０および１つ以上の円盤バネ８８に、ガイドスリーブ８４の外径に沿った軸方向への移動を起こさせて、反跳通路２７２を完全に開き、第３の流路を生じることを可能にする。
【００７９】
ピストンアセンブリ５３２は、非直結配置および／または離れた配置における圧縮バルブアセンブリ１１４および反跳バルブアセンブリ６４の予めの組み立てを可能にする。圧縮バルブアセンブリ１１４の組み立て時において、適切な厚さの複数のシム５３４が、ガイドスリーブ８４の周りに取り付けられる。それから、バルブ接合部８６が、ガイドスリーブ８４の周りに取り付けられる。それから、１つ以上の円盤バネ８８が、ガイドスリーブ８４の周りに取り付けられる。それから、複数のシムディスク９０が、ガイドスリーブ８４の周りに取り付けられる。それから、複数の屈曲ディスク９２が、ガイドスリーブ８４の周りに取り付けられる。ガイドスリーブ８４が、それから、図示されている通り、圧着されるか、または他の方法によって変形されて、圧縮バルブアセンブリ１１４の組み立て品を維持させる。複数のシム５３４の厚さは、複数の屈曲ディスク９２に加えられる負荷を決定する。この方法において、圧縮バルブアセンブリ１１４の残りの構成部品をともなっているガイドスリーブ８４は、予め組み立てられた圧縮バルブアセンブリ１１４として、緩衝装置の組み立てラインに移され得る。
【００８０】
類似の方法において、反跳バルブアセンブリ６４の組み立て時に、適切な厚さの複数のシム５３４が、ガイドスリーブ８４の周りに取り付けられる。それから、バルブ接合部８６が、ガイドスリーブ８４の周りに取り付けられる。それから、１つ以上の円盤バネ８８が、ガイドスリーブ８４の周りに取り付けられる。それから、複数のシムディスク９０が、ガイドスリーブ８４の周りに取り付けられる。それから、複数の屈曲ディスク９２が、ガイドスリーブ８４の周りに取り付けられる。ガイドスリーブ８４が、それから、図示されている通り、圧着されるか、または他の方法によって変形されて、反跳バルブアセンブリ６４の組み立て品を維持させる。複数のシム５３４の厚さは、複数の屈曲ディスク９２に加えられる負荷を決定する。この方法において、反跳バルブアセンブリ６４の残りの構成要素をともなっているガイドスリーブ８４は、予め組み立てられた反跳バルブアセンブリ６４として、緩衝装置の組み立てラインに移され得る。
【００８１】
実施形態のこれまでの記載は、例証および説明を目的としてもうけられている。当該記載は、網羅的であること、または本開示を制限することを意図されていない。特定の実施形態の個々の要素または特徴は、その特定の実施形態に一般的に限定されず、特に示されているか、または説明されていなくとも、適用可能である場合に交換可能であり、選択された実施形態に使用され得る。また、上記要素または特徴は、種々に変更され得る。そのような変更は、本開示から逸脱するとはみなされず、そのような変更のすべては、本開示の範囲内に包含されると意図されている。
【図１】
2015527550.tif 000003
【図２】
2015527550.tif 000004
【図３】
2015527550.tif 000005
【図４】
2015527550.tif 000006
【図５】
2015527550.tif 000007
【図６】
2015527550.tif 000008
【図７】
2015527550.tif 000009
【図８】
2015527550.tif 000010
【図９】
2015527550.tif 000011
【図１０】
2015527550.tif 000012
【図１１Ａ】
2015527550.tif 000013
【図１１Ｂ】
2015527550.tif 000014
【図１２】
2015527550.tif 000015
【図１３】
2015527550.tif 000016
【国際調査報告】
2015527550.tif 000017
2015527550.tif 000018